(57)【要約】【課題】ユーザーが秘匿性の高い情報を含む原稿の画像データを安心して入力可能な画像処理装置、及び画像出力方法を提供すること。【解決手段】画像処理装置は、入力される画像データを第２記憶部８に記憶させる記憶処理部５３と、記憶処理部５３によって第２記憶部８に記憶された画像データを出力する出力処理部５４と、出力処理部５４による画像データの出力後に、出力処理部５４によって出力された画像データを第２記憶部８から復元不能に削除する削除処理部５５と、削除処理部５５による画像データの削除後に、画像データが復元不能に削除された旨を示す証明データを発行する発行処理部５６と、を備える。【選択図】図２
2019102876.tif 000002
【特許請求の範囲】
【請求項１】
入力される画像データを記憶部に記憶させる記憶処理部と、
前記記憶処理部によって前記記憶部に記憶された前記画像データを出力する出力処理部と、
前記出力処理部による前記画像データの出力後に、前記出力処理部によって出力された前記画像データを前記記憶部から復元不能に削除する削除処理部と、
前記削除処理部による前記画像データの削除後に、前記画像データが復元不能に削除された旨を示す証明データを発行する発行処理部と、
を備える画像処理装置。
【請求項２】
前記記憶部は、前記記憶部に記憶された前記画像データが給電停止により復元不能に削除される揮発性を有しており、
前記削除処理部は、前記出力処理部による前記画像データの出力後に前記記憶部への給電を停止させる、
請求項１に記載の画像処理装置。
【請求項３】
前記削除処理部は、前記出力処理部による前記画像データの出力後に、前記記憶部への給電が停止する状態を経由する再起動を前記画像処理装置に実行させる、
請求項２に記載の画像処理装置。
【請求項４】
前記画像データの入力前に、前記削除処理部による削除機能の有効無効の設定操作を受け付ける受付処理部を備え、
前記記憶処理部は、前記設定操作によって前記削除機能が有効に設定された場合には、入力される前記画像データを前記記憶部に記憶させ、前記削除機能が無効に設定された場合には、入力される前記画像データを前記記憶部よりも記憶容量が大きい他の記憶部に記憶させ、
前記出力処理部は、前記記憶部又は前記他の記憶部に記憶された前記画像データを出力し、
前記削除処理部は、前記設定操作によって前記削除機能が有効に設定された場合に、前記出力処理部によって出力された前記画像データを前記記憶部から復元不能に削除し、
前記発行処理部は、前記設定操作によって前記削除機能が有効に設定された場合に、前記証明データを発行する、
請求項２又は３に記載の画像処理装置。
【請求項５】
前記記憶部は不揮発性を有しており、
前記削除処理部は、前記出力処理部による前記画像データの出力後に、前記記憶部における前記出力処理部によって出力された前記画像データの記憶領域を予め定められたダミーデータで上書きする、
請求項１に記載の画像処理装置。
【請求項６】
前記画像データの入力前に、前記削除処理部による削除機能の有効無効の設定操作を受け付ける受付処理部を備え、
前記削除処理部は、前記設定操作によって前記削除機能が有効に設定された場合に、前記出力処理部によって出力された前記画像データを前記記憶部から復元不能に削除し、
前記発行処理部は、前記設定操作によって前記削除機能が有効に設定された場合に、前記証明データを発行する、
請求項５に記載の画像処理装置。
【請求項７】
前記画像データを読取可能な画像読取部、及び前記画像データに基づく画像を形成可能な画像形成部のいずれか一方又は両方を備える請求項１〜６のいずれかに記載の画像処理装置。
【請求項８】
入力される画像データを記憶部に記憶させることと、
前記記憶部に記憶された前記画像データを出力することと、
前記画像データの出力後に、出力された前記画像データを前記記憶部から復元不能に削除することと、
前記画像データの削除後に、前記画像データが復元不能に削除された旨を示す証明データを発行することと、
を含む画像出力方法。
【発明の詳細な説明】
【技術分野】
【０００１】
本発明は、画像データを出力する画像処理装置、及び画像処理装置で実行される画像出力方法に関する。
【背景技術】
【０００２】
複写機のような画像処理装置では、個人情報のような秘匿性の高い情報を含む原稿の画像データに基づいて、印刷処理が実行されることがある。例えば、住民票を発行することが可能な画像処理装置が知られている（例えば、特許文献１参照）。また、画像処理装置では、原稿の画像データに基づく印刷処理が実行された後に、当該原稿の画像データが装置内部の記憶部から削除されることがある。
【先行技術文献】
【特許文献】
【０００３】
【特許文献１】特開２００６−２１２８１２号公報
【発明の概要】
【発明が解決しようとする課題】
【０００４】
ところで、画像処理装置では、記憶部から削除された画像データが当該記憶部に復元可能な状態で残ることがある。この場合、当該記憶部から原稿の画像データに含まれる情報が漏洩するおそれがある。そのため、ユーザーは、秘匿性の高い情報を含む原稿の画像データを安心して画像処理装置に入力することができない。
【０００５】
本発明の目的は、ユーザーが秘匿性の高い情報を含む原稿の画像データを安心して入力可能な画像処理装置、及び画像出力方法を提供することにある。
【課題を解決するための手段】
【０００６】
本発明の一の局面に係る画像処理装置は、記憶処理部と、出力処理部と、削除処理部と、発行処理部とを備える。前記記憶処理部は、入力される画像データを記憶部に記憶させる。前記出力処理部は、前記記憶処理部によって前記記憶部に記憶された前記画像データを出力する。前記削除処理部は、前記出力処理部による前記画像データの出力後に、前記出力処理部によって出力された前記画像データを前記記憶部から復元不能に削除する。前記発行処理部は、前記削除処理部による前記画像データの削除後に、前記画像データが復元不能に削除された旨を示す証明データを発行する。
【０００７】
本発明の他の局面に係る画像出力方法は、入力される画像データを記憶部に記憶させることと、前記記憶部に記憶された前記画像データを出力することと、前記画像データの出力後に、出力された前記画像データを前記記憶部から復元不能に削除することと、前記画像データの削除後に、前記画像データが復元不能に削除された旨を示す証明データを発行することと、を含む。
【発明の効果】
【０００８】
本発明によれば、ユーザーが秘匿性の高い情報を含む原稿の画像データを安心して入力可能な画像処理装置、及び画像出力方法が実現される。
【図面の簡単な説明】
【０００９】
【図１】図１は、本発明の実施形態に係る画像処理装置の構成を示す図である。
【図２】図２は、本発明の実施形態に係る画像処理装置のシステム構成を示すブロック図である。
【図３】図３は、本発明の実施形態に係る画像処理装置で実行される画像出力処理の一例を示すフローチャートである。
【発明を実施するための形態】
【００１０】
以下、添付図面を参照しながら、本発明の実施形態について説明し、本発明の理解に供する。なお、以下の実施形態は、本発明を具体化した一例であって、本発明の技術的範囲を限定するものではない。
【００１１】
［画像処理装置１０の概略構成］
まず、図１及び図２を参照しつつ、本発明の実施形態に係る画像処理装置１０の概略構成について説明する。ここで、図１は画像処理装置１０の構成を示す断面模式図である。
【００１２】
画像処理装置１０は、原稿から画像データを読み取るスキャン機能、及び画像データに基づいて画像を形成するプリント機能と共に、ファクシミリ機能、及びコピー機能などの複数の機能を有する複合機である。なお、本発明は、スキャナー装置、プリンター装置、ファクシミリ装置、及びコピー機などの画像処理装置に適用可能である。
【００１３】
図１及び図２に示されるように、画像処理装置１０は、ＡＤＦ１、画像読取部２、画像形成部３、給紙部４、制御部５、操作表示部６、第１記憶部７、第２記憶部８、及び給電部９を備える。
【００１４】
ＡＤＦ１は、原稿セット部、複数の搬送ローラー、原稿押さえ、及び排紙部を備え、画像読取部２によって読み取られる原稿を搬送する。画像読取部２は、原稿台、光源、複数のミラー、光学レンズ、及びＣＣＤを備え、原稿から画像データを読み取ることが可能である。
【００１５】
画像形成部３は、画像読取部２で読み取られた画像データ又は外部の情報処理装置から入力された画像データに基づいて、電子写真方式で画像を形成可能である。具体的に、画像形成部３は、感光体ドラム、帯電装置、光走査装置、現像装置、転写ローラー、クリーニング装置、定着ローラー、加圧ローラー、及び排紙部を備える。そして、画像形成部３では、給紙部４から供給されるシートに画像が形成されて、画像形成後の前記シートが前記排紙部に排出される。
【００１６】
制御部５は、不図示のＣＰＵ、ＲＯＭ、ＲＡＭ、及びＥＥＰＲＯＭ（登録商標）などの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶装置である。前記ＲＡＭは揮発性の記憶装置であり、前記ＥＥＰＲＯＭは不揮発性の記憶装置である。前記ＲＡＭ及び前記ＥＥＰＲＯＭは、前記ＣＰＵが実行する各種の処理の一時記憶メモリー（作業領域）として使用される。制御部５では、前記ＣＰＵにより前記ＲＯＭに予め記憶された各種の制御プログラムが実行される。これにより、画像処理装置１０が制御部５により統括的に制御される。なお、制御部５は、集積回路（ＡＳＩＣ）などの電子回路で構成されたものであってもよく、画像処理装置１０を統括的に制御するメイン制御部とは別に設けられた制御部であってもよい。
【００１７】
操作表示部６は、制御部５からの制御指示に応じて各種の情報を表示する液晶ディスプレーなどの表示部、及びユーザーの操作に応じて制御部５に各種の情報を入力する操作キー又はタッチパネルなどの操作部を有する。
【００１８】
第１記憶部７は、不揮発性の記憶装置である。例えば、第１記憶部７は、フラッシュメモリー、ＳＳＤ（ソリッドステートドライブ）、又はＨＤＤ（ハードディスクドライブ）などの記憶装置である。第１記憶部７は、第２記憶部８よりも記憶容量が大きい記憶装置である。なお、第１記憶部７は、制御部５の前記ＥＥＰＲＯＭであってもよい。
【００１９】
第２記憶部８は、ＲＡＭのような揮発性の記憶装置である。ここで、揮発性とは、第２記憶部８に記憶されたデータが第２記憶部８への給電が停止されることによって復元不能に削除される性質をいう。なお、第２記憶部８は、制御部５の前記ＲＡＭであってもよい。
【００２０】
給電部９は、第２記憶部８を含む画像処理装置１０の各部に給電可能な電源である。
【００２１】
ところで、従来の画像処理装置では、個人情報のような秘匿性の高い情報を含む原稿の画像データに基づいて、印刷処理が実行されることがある。例えば、住民票を発行することが可能な構成が知られている。また、前記従来の画像処理装置では、原稿の画像データに基づく印刷処理が実行された後に、当該原稿の画像データが装置内部の記憶部から削除されることがある。
【００２２】
ここで、前記従来の画像処理装置では、記憶部から削除された画像データが当該記憶部に復元可能な状態で残ることがある。この場合、当該記憶部から原稿の画像データに含まれる情報が漏洩するおそれがある。そのため、ユーザーは、秘匿性の高い情報を含む原稿の画像データを安心して前記従来の画像処理装置に入力することができない。これに対し、本発明の実施形態に係る画像処理装置１０では、以下に説明するように、ユーザーが秘匿性の高い情報を含む原稿の画像データを安心して入力することが可能である。
【００２３】
具体的に、制御部５の前記ＲＯＭには、前記ＣＰＵに後述の画像出力処理（図３のフローチャート参照）を実行させるための画像出力プログラムが予め記憶されている。なお、前記画像出力プログラムは、ＣＤ、ＤＶＤ、フラッシュメモリーなどのコンピューター読み取り可能な記録媒体に記録されており、前記記録媒体から読み取られて前記ＥＥＰＲＯＭ又は第１記憶部７にインストールされるものであってもよい。
【００２４】
そして、制御部５は、図２に示されるように、受付処理部５１、取得処理部５２、記憶処理部５３、出力処理部５４、削除処理部５５、及び発行処理部５６を備える。具体的に、制御部５は、前記ＣＰＵを用いて前記ＲＯＭに記憶されている前記画像出力プログラムを実行する。これにより、制御部５は、受付処理部５１、取得処理部５２、記憶処理部５３、出力処理部５４、削除処理部５５、及び発行処理部５６として機能する。
【００２５】
受付処理部５１は、画像処理装置１０への画像データの入力前に、後段で述べる削除処理部５５による削除機能の有効無効の設定操作を受け付ける。
【００２６】
具体的に、受付処理部５１は、後段で述べる取得処理部５２による画像データの取得前に、前記設定操作を受け付ける。
【００２７】
例えば、受付処理部５１は、前記設定操作に用いられる設定画面を操作表示部６に表示させる。そして、受付処理部５１は、操作表示部６に表示された前記設定画面において前記設定操作を受け付ける。例えば、前記設定操作は、前記設定画面に表示される削除処理部５５による削除機能の有効に対応する選択キー及び当該削除機能の無効に対応する選択キーのいずれかに対する操作である。
【００２８】
例えば、前記設定画面には、取得される原稿の画像データが揮発性の記憶装置に記憶される旨、及び原稿の画像データの出力後に当該記憶装置への給電が停止されることで当該記憶装置から原稿の画像データが復元不能に削除される旨を示すメッセージが含まれる。なお、前記設定画面には、前記削除機能が有効に設定された場合において、画像処理装置１０に入力される画像データのページ数が多い場合に、処理時間が長期化することがある旨を示すメッセージが含まれていてもよい。
【００２９】
取得処理部５２は、画像データを取得する。
【００３０】
例えば、取得処理部５２は、ＡＤＦ１の前記原稿セット部に原稿が載置されている場合には、ＡＤＦ１及び画像読取部２を用いて、前記原稿セット部に載置されている原稿の画像データを読み取る。また、取得処理部５２は、ＡＤＦ１の前記原稿セット部に原稿が載置されていない場合には、画像読取部２を用いて、画像読取部２の前記原稿台に載置されている原稿の画像データを読み取る。なお、前記原稿セット部には、当該原稿セット部に載置されている原稿の有無を検出可能な不図示のセンサーが設けられている。取得処理部５２は、前記センサーを用いて、前記原稿セット部に載置されている原稿の有無を検出可能である。
【００３１】
なお、取得処理部５２は、インターネット又はＬＡＮなどの通信ネットワークを介して接続される外部の情報処理装置などから原稿の画像データを取得してもよい。また、取得処理部５２は、画像処理装置１０に接続されたＵＳＢメモリーなどの外部の記憶装置から原稿の画像データを取得してもよい。
【００３２】
記憶処理部５３は、入力される画像データを第２記憶部８に記憶させる。
【００３３】
具体的に、記憶処理部５３は、取得処理部５２によって取得される画像データを第２記憶部８に記憶させる。
【００３４】
例えば、記憶処理部５３は、前記設定操作によって前記削除機能が有効に設定された場合には、入力される画像データを第２記憶部８に記憶させる。一方、記憶処理部５３は、前記設定操作によって前記削除機能が無効に設定された場合には、入力される画像データを第１記憶部７に記憶させる。ここに、第２記憶部８が、本発明における記憶部の一例である。また、第１記憶部７が、本発明における他の記憶部の一例である。
【００３５】
出力処理部５４は、記憶処理部５３によって第２記憶部８に記憶された画像データを出力する。
【００３６】
具体的に、出力処理部５４は、前記設定操作によって前記削除機能が有効に設定された場合には、記憶処理部５３によって第２記憶部８に記憶された画像データを出力する。一方、出力処理部５４は、前記設定操作によって前記削除機能が無効に設定された場合には、記憶処理部５３によって第１記憶部７に記憶された画像データを出力する。
【００３７】
例えば、出力処理部５４は、画像形成部３を用いて、第１記憶部７又は第２記憶部８に記憶された画像データに基づく画像を印刷する。
【００３８】
なお、出力処理部５４は、前記外部の情報処理装置に第１記憶部７又は第２記憶部８に記憶された画像データを送信してもよい。また、出力処理部５４は、前記外部の記憶装置に第１記憶部７又は第２記憶部８に記憶された画像データを記憶させてもよい。
【００３９】
削除処理部５５は、出力処理部５４による画像データの出力後に、出力処理部５４によって出力された画像データを第２記憶部８から復元不能に削除する。
【００４０】
具体的に、削除処理部５５は、前記設定操作によって前記削除機能が有効に設定された場合には、出力処理部５４によって出力された画像データを第２記憶部８から復元不能に削除する。一方、削除処理部５５は、前記設定操作によって前記削除機能が無効に設定された場合には、出力処理部５４によって出力された画像データを第１記憶部７から復元可能に削除する。ここで、復元可能な削除とは、例えば、前記ＥＥＰＲＯＭなどに記憶される第１記憶部７に記憶されている画像データを認識するための情報を削除することである。
【００４１】
例えば、削除処理部５５は、出力処理部５４による画像データの出力後に、給電部９による第２記憶部８への給電を停止させる。
【００４２】
なお、削除処理部５５は、出力処理部５４による画像データの出力後に、第２記憶部８への給電が停止する状態を経由する再起動を自装置に実行させてもよい。
【００４３】
発行処理部５６は、削除処理部５５による画像データの削除後に、画像データが復元不能に削除された旨を示す証明データを発行する。
【００４４】
具体的に、発行処理部５６は、前記設定操作によって前記削除機能が有効に設定された場合に、前記証明データを発行する。例えば、前記証明データは、画像処理装置１０の設置場所に関する情報、機種情報などの画像処理装置１０の特定に用いられる情報、原稿枚数、印刷部数などの原稿の画像データの取得態様及び出力態様に関する情報、原稿の画像データが復元不能に削除された日時、及び原稿の画像データが復元不能に削除された旨を証する文章情報などを含む。
【００４５】
例えば、発行処理部５６は、画像形成部３を用いて、前記証明データを印刷する。
【００４６】
なお、発行処理部５６は、前記外部の情報処理装置に前記証明データを送信してもよい。また、発行処理部５６は、前記外部の記憶装置に前記証明データを記憶させてもよい。
【００４７】
なお、制御部５は、受付処理部５１を含んでいなくてもよい。
【００４８】
また、画像処理装置１０が第２記憶部８を備えていない構成が他の実施形態として考えられる。この場合、記憶処理部５３は、前記設定操作による前記削除機能の設定内容に関わらず、入力される画像データを第１記憶部７に記憶させる。また、削除処理部５５は、前記設定操作によって前記削除機能が有効に設定された場合に、出力処理部５４による画像データの出力後に、出力処理部５４によって出力された画像データを第１記憶部７から復元不能に削除する。例えば、削除処理部５５は、出力処理部５４による画像データの出力後に、第１記憶部７における出力処理部５４によって出力された画像データの記憶領域を予め定められたダミーデータで上書きする。ここに、上記他の実施形態における第１記憶部７が、本発明における記憶部の他の一例である。
【００４９】
［画像出力処理］
以下、図３を参照しつつ、画像処理装置１０において制御部５により実行される画像出力処理の手順の一例について説明する。ここで、ステップＳ１１、Ｓ１２・・・は、制御部５により実行される処理手順（ステップ）の番号を表している。また、前記画像出力処理は、原稿を複写する処理の実行操作を受け付けた場合に実行される。
【００５０】
なお、前記画像出力処理は、原稿から読み取られる画像データを前記外部の情報処理装置などに送信する処理の実行操作を受け付けた場合に実行されてもよい。また、前記画像出力処理は、前記外部の情報処理装置などから取得される原稿の画像データを印刷する処理の実行操作を受け付けた場合に実行されてもよい。
【００５１】
＜ステップＳ１１＞
まず、ステップＳ１１において、制御部５は、前記設定画面を操作表示部６に表示させる。ここで、ステップＳ１１の処理は、制御部５の受付処理部５１により実行される。
【００５２】
＜ステップＳ１２＞
ステップＳ１２において、制御部５は、ステップＳ１１で表示された前記設定画面において前記設定操作を受け付けたか否かを判断する。
【００５３】
ここで、制御部５は、前記設定操作を受け付けたと判断すると（Ｓ１２のＹｅｓ側）、処理をステップＳ１３に移行させる。また、前記設定操作を受け付けていなければ（Ｓ１２のＮｏ側）、制御部５は、ステップＳ１２で前記設定操作が受け付けられるのを待ち受ける。
【００５４】
＜ステップＳ１３＞
ステップＳ１３において、制御部５は、原稿の画像データを取得する。ここで、ステップＳ１３の処理は、制御部５の取得処理部５２により実行される。
【００５５】
例えば、制御部５は、ＡＤＦ１の前記原稿セット部に原稿が載置されている場合には、ＡＤＦ１及び画像読取部２を用いて、前記原稿セット部に載置されている原稿の画像データを読み取る。また、制御部５は、ＡＤＦ１の前記原稿セット部に原稿が載置されていない場合には、画像読取部２を用いて、画像読取部２の前記原稿台に載置されている原稿の画像データを読み取る。
【００５６】
＜ステップＳ１４＞
ステップＳ１４において、制御部５は、ステップＳ１２で受け付けられた前記設定操作によって前記削除機能が有効に設定されたか否かを判断する。
【００５７】
ここで、制御部５は、前記削除機能が有効に設定されたと判断すると（Ｓ１４のＹｅｓ側）、処理をステップＳ１５に移行させる。また、前記削除機能が有効に設定されていなければ（前記削除機能が無効に設定されたと判断すると）（Ｓ１４のＮｏ側）、制御部５は、処理をステップＳ１４１に移行させる。
【００５８】
＜ステップＳ１５＞
ステップＳ１５において、制御部５は、ステップＳ１３で取得された原稿の画像データを第２記憶部８に記憶させる。ここで、ステップＳ１５の処理は、制御部５の記憶処理部５３により実行される。
【００５９】
＜ステップＳ１６＞
ステップＳ１６において、制御部５は、ステップＳ１５で第２記憶部８に記憶された原稿の画像データを出力する。ここで、ステップＳ１６の処理は、制御部５の出力処理部５４により実行される。
【００６０】
例えば、制御部５は、画像形成部３を用いて、第２記憶部８に記憶された画像データに基づく画像を印刷する。
【００６１】
＜ステップＳ１７＞
ステップＳ１７において、制御部５は、ステップＳ１６で出力された原稿の画像データを第２記憶部８から復元不能に削除する。ここで、ステップＳ１７の処理は、制御部５の削除処理部５５により実行される。
【００６２】
例えば、制御部５は、給電部９による第２記憶部８への給電を停止させる。なお、制御部５は、第２記憶部８への給電が停止された旨を示すメッセージを操作表示部６に表示させてもよい。
【００６３】
なお、ステップＳ１７において、制御部５は、自装置に前記再起動を実行させてもよい。これにより、画像処理装置１０の前記再起動に伴い第２記憶部８への給電が停止されたことをユーザーに認識させることが可能である。
【００６４】
＜ステップＳ１８＞
ステップＳ１８において、制御部５は、前記証明データを発行する。ここで、ステップＳ１８の処理は、制御部５の発行処理部５６により実行される。
【００６５】
例えば、制御部５は、画像形成部３を用いて、前記証明データを印刷する。
【００６６】
＜ステップＳ１４１＞
一方、ステップＳ１４において前記削除機能が有効に設定されていないと判断された場合、制御部５は、ステップＳ１４１の処理を実行する。ステップＳ１４１において、制御部５は、ステップＳ１３で取得された原稿の画像データを第１記憶部７に記憶させる。これにより、第２記憶部８がステップＳ１３で取得される原稿の画像データの全てを記憶可能な容量を持たない場合に、処理時間の長期化を回避することが可能となる。ここで、ステップＳ１４１の処理は、制御部５の記憶処理部５３により実行される。
【００６７】
＜ステップＳ１４２＞
ステップＳ１４２において、制御部５は、ステップＳ１４１で第１記憶部７に記憶された原稿の画像データを出力する。ここで、ステップＳ１４２の処理は、制御部５の出力処理部５４により実行される。
【００６８】
例えば、制御部５は、画像形成部３を用いて、第１記憶部７に記憶された画像データに基づく画像を印刷する。
【００６９】
＜ステップＳ１４３＞
ステップＳ１４３において、制御部５は、ステップＳ１４２で出力された原稿の画像データを第１記憶部７から復元可能に削除する。ここで、ステップＳ１４３の処理は、制御部５の削除処理部５５により実行される。
【００７０】
例えば、制御部５は、前記ＥＥＰＲＯＭなどに記憶されている第１記憶部７に記憶されているステップＳ１４２で出力された原稿の画像データを認識するための情報を削除する。
【００７１】
このように、画像処理装置１０では、原稿から読み取られた画像データが印刷された後に、当該画像データを記憶する第２記憶部８から当該画像データが復元不能に削除されて、その旨を示す前記証明データが発行される。これにより、入力された画像データが画像処理装置１０の内部で復元可能な状態で残存するかもしれないというユーザーの危惧を払しょくすることが可能である。具体的に、前記証明データが発行されることで、画像処理装置１０の内部構造に精通していないユーザーの前記危惧を払しょくすることが可能である。従って、画像処理装置１０では、ユーザーが秘匿性の高い情報を含む原稿の画像データを安心して入力することが可能である。
【符号の説明】
【００７２】
１    ＡＤＦ
２    画像読取部
３    画像形成部
４    給紙部
５    制御部
６    操作表示部
７    第１記憶部
８    第２記憶部
９    給電部
１０  画像処理装置
５１  受付処理部
５２  取得処理部
５３  記憶処理部
５４  出力処理部
５５  削除処理部
５６  発行処理部
【図１】
2019102876.tif 000003
【図２】
2019102876.tif 000004
【図３】
2019102876.tif 000005